(57)【要約】      （修正有）【課題】繰り返しの熱サイクルによる油圧コネクタの漏れを防止する回り止めバンド及びこれを含む油圧コネクタ組立体を提供する。【解決手段】油圧コネクタ組立体のための回り止めバンド２４０であって、第１端部部分２０４と第２端部部分２０６とを有し、かつ、基端エッジ９０を画定する弓形バンド部分と、第１端部部分２０４から半径方向に外に向かって、かつ、第１端部部分２０４を接線方向に越えて延在する第１ジップタイ締付構造２０２ａと、第２端部部分２０６から半径方向に外に向かって延在する整列構造２３０と、整列構造２３０から接線方向に延在する第２ジップタイ締付構造２０２ｂであって、第１ジップタイ締付構造２０２ａと相互係止するように構成されている第２ジップタイ締付構造２０２ｂと、弓形バンド部分から、かつ、基端エッジ９０の基端側へ延在する突出部９４とを含む。【選択図】図２０
0003217688.tif 000002
【実用新案登録請求の範囲】
【請求項１】
油圧コネクタ組立体であって、
雌ナットと螺合される雄本体であって、そこから半径方向に外に向かって延在するストッパタブを含み、前記雌ナットが中心軸を中心に同心円状であり、かつ、その外面上に形成される凹部を含む、雄本体と、
回り止めバンドであって、前記雌ナットと係合し、かつ、該雌ナットの周りで接線方向に延在して回り止めバンドの基端エッジを画定し、内部表面を有するバンド部分と、ベース部分および突出部分を有する突出部とを含み、前記ベース部分が前記バンド部分の内部表面から半径方向内きに延在し、前記突出部が前記雌ナットの凹部内に配置され、回り止めバンドがジップタイ締付構造を画定する対向する端部部分を含む、回り止めバンドと、
を含み、
前記雄本体に対する前記雌ナットの回転によって、前記回り止めバンドを共に回転させ、かつ、前記突出部の突出部分を前記雄本体のストッパタブと係合させ、それにより前記雌ナットのさらなる回転を防止する、油圧コネクタ組立体。
【請求項２】
前記ジップタイ締付構造が着脱可能である、請求項１に記載の油圧コネクタ組立体。
【請求項３】
前記対向する端部部分の第１端部部分が複数の鋸歯構造を画定する第１ジップタイ締付構造を含み、前記複数の鋸歯構造の各々が摺動面と係止面とを含み、
前記対向する端部部分の第２端部部分が少なくとも１つの係止歯構造を画定する第２ジップタイ締付構造を含み、前記少なくとも１つの係止歯構造の各々が係止面を含み、
前記第２ジップタイ締付構造の少なくとも１つの係止歯構造が、前記第１ジップタイ締付構造の複数の鋸歯構造の各々の摺動面上を摺動するように構成され、
前記第２ジップタイ締付構造の少なくとも１つの係止歯構造の係止面が、前記第１ジップタイ締付構造の複数の鋸歯構造のいずれか１つと相互係止するように構成される、請求項２に記載の油圧コネクタ組立体。
【請求項４】
前記第１ジップタイ締付構造の複数の鋸歯構造の係止面が第１係止面角度を画定し、
前記少なくとも１つの係止歯構造の係止面が第２係止面角度を画定し、
前記第１係止面角度が、前記第１ジップタイ締付構造の複数の鋸歯構造の各々の第２係止面角度と相補的である、請求項３に記載の油圧コネクタ組立体。
【請求項５】
前記第２端部部分が、前記第１ジップタイ締付構造が前記第２ジップタイ締付構造と相互係止されるとき、前記第１端部部分を前記第２端部部分と接線方向に整列させるための整列構造を含む、請求項３に記載の油圧コネクタ組立体。
【請求項６】
前記第２ジップタイ締付構造の少なくとも１つの係止歯構造がタブ部分上に画定され、前記タブ部分が前記整列構造から接線方向に延在する、請求項５に記載の油圧コネクタ組立体。
【請求項７】
前記回り止めバンドの整列構造が前記第２端部部分の自由端を画定し、前記タブ部分が前記自由端から離れるように延在する、請求項６に記載の油圧コネクタ組立体。
【請求項８】
前記タブ部分が、第１セクションであって、前記整列構造から接線方向に延在し、かつ、前記回り止めバンドが開いた構成にあるとき、前記バンド部分に向かって曲がる、第１セクションを含み、前記タブ部分が、前記第１ジップタイ締付構造が前記第２ジップタイ締付構造と相互係止されるとき、半径方向に外に向かってそれ、前記タブ部分が、前記第１ジップタイ締付構造が前記第２ジップタイ締付構造と相互係止されるとき、付勢力を前記第１ジップタイ締付構造に対してかける、請求項７に記載の油圧コネクタ組立体。
【請求項９】
前記タブ部分が、第２セクションであって、前記第１セクションから接線方向に延在し、かつ、前記第２ジップタイ締付構造を前記第１ジップタイ締付構造から解放するよう前記タブ部分を前記バンド部分から離れるように押し開けるために、前記バンド部分から離れるように曲がる、第２セクションを含む、請求項８に記載の油圧コネクタ組立体。
【請求項１０】
油圧コネクタのための回り止めバンドであって、
対向する自由端を含み、かつ、基端エッジを画定するバンド部分であって、前記対向する端部部分がジップタイ締付構造を含む、バンド部分と、
前記バンド部分から延在する複数の突出部であって、前記複数の突出部の各々が前記基端エッジの基端側へ延在する、複数の突出部と、
を含む、油圧コネクタのための回り止めバンド。
【請求項１１】
前記対向する端部部分の第１端部部分が複数の鋸歯構造を画定する第１ジップタイ締付構造を含み、前記複数の鋸歯構造の各々が摺動面と係止面とを含み、
前記対向する端部部分の第２端部部分が少なくとも１つの係止歯構造を画定する第２ジップタイ締付構造を含み、前記少なくとも１つの係止歯構造の各々が係止面を含み、
前記第２ジップタイ締付構造が、前記第１ジップタイ締付構造の複数の鋸歯構造の各々の摺動面上を摺動するように構成され、
前記第２ジップタイ締付構造の少なくとも１つの係止歯構造の係止面が、前記第１ジップタイ締付構造の複数の鋸歯構造のいずれか１つと相互係止するように構成される、請求項１０に記載の回り止めバンド。
【請求項１２】
前記第２ジップタイ締付構造の少なくとも１つの係止歯構造の係止面が、前記第１ジップタイ締付構造の複数の鋸歯構造の各々の係止面と相補的である、請求項１１に記載の回り止めバンド。
【請求項１３】
前記少なくとも１つの係止歯構造の各々が摺動面を含む、請求項１１に記載の回り止めバンド。
【請求項１４】
前記第２端部部分が、前記第１端部部分が前記第２端部部分と相互係止されるとき、前記第１端部部分を前記第２端部部分と接線方向に整列させるための整列構造を含む、請求項１０に記載の回り止めバンド。
【請求項１５】
前記第２端部部分の少なくとも１つの係止歯構造がタブ部分上に画定され、前記タブ部分が前記整列構造から接線方向に延在する、請求項１４に記載の回り止めバンド。
【請求項１６】
前記回り止めバンドの整列構造が前記第２端部部分の自由端を画定し、前記タブ部分が前記自由端から離れるように延在する、請求項１５に記載の回り止めバンド。
【請求項１７】
前記バンド部分がその基端エッジから延在する表面を画定し、
前記複数の突出部の各々がベース部分を含み、前記ベース部分の各々が前記バンド部分の表面から延在する、請求項１０〜１６のいずれか一項に記載の回り止めバンド。
【請求項１８】
前記複数の突出部が３つの突出部を含む、請求項１０〜１６のいずれか一項に記載の回り止めバンド。
【請求項１９】
前記３つの突出部の第１の突出部と第２の突出部との間の距離が、前記第２の突出部と前記３つの突出部の第３の突出部との間の距離に等しい、請求項１８に記載の回り止めバンド。
【請求項２０】
前記バンドが弓形であり、かつ、表面が内部表面である、請求項１８に記載の回り止めバンド。
【請求項２１】
油圧コネクタ組立体が取り付けられる容器開口部から漏れを生じさせる緩みを防止するための方法であって、
バンド部分と、前記バンド部分から延在する突出部とを含む回り止めバンドを提供するステップであって、前記突出部が前記バンド部分から横に延在するベース部分と、前記ベース部分から軸方向に延在する突出部分とを含み、前記バンド部分が対向する端部部分を含み、前記対向する端部部分の第１端部部分が複数の鋸歯構造を有する第１ジップタイ構造を含み、前記対向する端部部分の第２端部部分が、前記第１端部部分の複数の鋸歯構造のいずれかと相互係止するように構成された少なくとも１つの係止歯構造を有する第２ジップタイ構造を含み、前記第２ジップタイ構造が前記ジップタイ構造を前記第２ジップタイ構造との相互係止接触へ案内するための整列構造を含み、前記第２ジップタイ構造の少なくとも１つの係止歯構造がタブ部分上に画定され、前記タブ部分が前記整列構造から接線方向に延在する、ステップと、
有形の非一時的媒体上に使用説明書一式を提供するステップであって、前記使用説明書が、
前記回り止めバンドを油圧コネクタ組立体の雌ナットの周りに巻き付けるステップと、
前記突出部の突出部分が前記油圧コネクタ組立体の雄本体上に位置するストッパタブに接線方向に隣接して延在するように、前記第１ジップタイ構造を前記第２ジップタイ構造へ嵌合させることにより、前記回り止めバンドを前記雌ナットに固定するステップと
を含む、ステップと、
を含む、方法。
【請求項２２】
前記使用説明書一式は、前記回り止めバンドを解放するよう前記第２ジップタイ構造の前記タブ部分を前記第１ジップタイ構造から離れるように持ち上げるステップを含む、請求項２１に記載の方法。
【考案の詳細な説明】
【技術分野】
【０００１】
本開示は、概して油圧コネクタの分野、より具体的には、ポリマーまたはフルオロポリマー材料を含む油圧コネクタのための係止デバイスに関する。
【背景技術】
【０００２】
ポリマーまたはフルオロポリマーから作られる油圧コネクタの使用は苛性流体の取り扱いに好ましいことが、例えば半導体および関連する産業において確認されている。このようなコネクタの特徴は、高温に達すると緩む傾向にあることである。例えば、フルオロポリマー油圧コネクタは、約２００℃（約３９３°Ｆ）に達する単一熱サイクルの後に緩むことが観察されている。繰り返しの熱サイクルはコネクタをさらに緩ませる。また、いったん緩むと、作業中に油圧コネクタが受ける振動は、さらなる緩みをもたらす。最終的に、緩みは油圧コネクタの漏れをもたらす。継手もまた、振動条件下、例えば継手を備える完成した組立体が組立場所からそれらの最終目的地へ輸送されるときに緩むことがある。
【考案の概要】
【考案が解決しようとする課題】
【０００３】
油圧コネクタが漏れるところまで緩むことを防止するシステムが求められている。
【課題を解決するための手段】
【０００４】
本開示の様々な実施形態は、係止デバイスであって、それにより螺合コネクタ、例えば圧縮継手が緩んだ後で僅かな回転のみが許容される係止デバイスを提供する。多くの用途について、緩みの程度が限られていることで、十分に漏れの始まりを防止する。幾つかの実施形態は、一般に使用される圧縮継手、例えばフレア、インサート、またはインサート式継手、およびインテグリス社（Ｅｎｔｅｇｒｉｓ，Ｉｎｃ）により製造されるプライムロック（ＰＲＩＭＥＬＯＣＫ）（登録商標）継手に後付けされる。様々な実施形態において、係止デバイスはコネクタ上にユーザの好みまで締め付けられる。幾つかの実施形態において、係止デバイスは、係止デバイスが例えば熱サイクルに起因して緩むことがあると締め直される。
【０００５】
構造上、本開示の様々な実施形態は、油圧コネクタ組立体を開示している。この油圧コネクタ組立体は、雌ナットと螺合される雄本体を備えており、雄本体は、そこから半径方向に外に向かって延在するストッパタブを含み、雌ナットが中心軸を中心に同心円状であり、かつ、その外面上に形成される凹部を含んでいる。組立体はまた、回り止めバンドを備えており、この回り止めバンドは、雌ナットと係合し、かつ、雌ナットの周りで接線方向に延在して回り止めバンドの基端エッジを画定する。回り止めバンドは、ベース部分および突出部分を有する突出部を含み、ベース部分は回り止めバンドの内部表面から半径方向内向きに延在し、突出部は雌ナットの凹部内に配置される。回り止めバンドは、ジップタイ締付構造を画定する対向する端部部分を含む。雄本体に対する雌ナットの回転によって、回り止めバンドを共に回転させ、かつ、突出部の突出部分を雄本体のストッパタブと係合させ、それにより雌ナットのさらなる回転を防止する。幾つかの実施形態において、ジップタイ締付構造は着脱可能である。
【０００６】
幾つかの実施形態において、対向する端部部分の第１端部部分は、複数の鋸歯構造を画定する第１ジップタイ締付構造を含み、複数の鋸歯構造の各々は摺動面と係止面とを含む。対向する端部部分の第２端部部分は少なくとも１つの係止歯構造を画定する第２ジップタイ締付構造を含み、少なくとも１つの係止歯構造の各々は摺動面と係止面とを含む。幾つかの実施形態において、第２ジップタイ締付構造の少なくとも１つの係止歯構造の摺動面は、第１ジップタイ締付構造の複数の鋸歯構造の各々の摺動面上を摺動するように構成される。幾つかの実施形態において、第２ジップタイ締付構造の少なくとも１つの係止歯構造の係止面は、第１ジップタイ締付構造の複数の鋸歯構造のいずれか１つと相互係止するために第１ジップタイ締付構造の複数の鋸歯構造の各々の係止面と相補的である。
【０００７】
１つまたは複数の実施形態において、第２端部部分は、第１ジップタイ締付構造が第２ジップタイ締付構造と相互係止されるとき、第１端部部分を第２端部部分と接線方向に整列させるための整列構造を含む。第２ジップタイ締付構造の少なくとも１つの係止歯構造はタブ部分上に画定されてもよく、タブ部分は整列構造から接線方向に延在する。幾つかの実施形態において、回り止めバンドの整列構造は第２端部部分の自由端を画定し、タブ部分は自由端から離れるように延在する。
【０００８】
本開示の様々な実施形態において、油圧コネクタのための回り止めバンドは、対向する自由端を含み、かつ、基端エッジを画定するバンド部分を含むものとして開示され、対向する端部部分はジップタイ締付構造を含む。回り止めバンドはまた、バンド部分から延在する複数の突出部を含み、複数の突出部の各々は基端エッジの基端側へ延在する。回り止めバンドは、複数の鋸歯構造を画定する第１ジップタイ締付構造を含む対向する端部部分の第１端部部分を含んでもよく、複数の鋸歯構造の各々は摺動面と係止面とを含む。回り止めバンドはまた、少なくとも１つの係止歯構造を画定する第２ジップタイ締付構造を含む対向する端部部分の第２端部部分を含んでもよく、少なくとも１つの係止歯構造の各々は摺動面と係止面とを含む。幾つかの実施形態において、第２ジップタイ締付構造の少なくとも１つの係止歯構造の摺動面は、第１ジップタイ締付構造の複数の鋸歯構造の各々の摺動面上を摺動するように構成される。幾つかの実施形態において、第２ジップタイ締付構造の少なくとも１つの係止歯構造の係止面は、第１ジップタイ締付構造の複数の鋸歯構造のいずれか１つと相互係止するように、第１ジップタイ締付構造の複数の鋸歯構造の各々の係止面と相補的である。第２端部部分は、第１端部部分が第２端部部分と相互係止されるとき、第１端部部分を第２端部部分と接線方向に整列させるための整列構造を含み得る。
【０００９】
幾つかの実施形態において、第２端部部分の少なくとも１つの係止歯構造はタブ部分上に画定され、タブ部分は整列構造から接線方向に延在する。回り止めバンドの整列構造は第２端部部分の自由端を画定することができ、タブ部分は自由端から離れるように延在する。
【００１０】
本開示の様々な実施形態において、油圧コネクタ組立体の漏れを防止する方法が開示される。この方法は、
バンド部分とバンド部分から延在する突出部とを含む回り止めバンドを提供するステップであって、突出部がバンド部分から横に延在するベース部分とベース部分から軸方向に延在する突出部分とを含み、バンド部分が対向する端部部分を含み、対向する端部部分の第１端部部分が複数の鋸歯構造を有する第１ジップタイ構造を含み、対向する端部部分の第２端部部分が、第１端部部分の複数の鋸歯構造のいずれかと相互係止するように構成された少なくとも１つの係止歯構造を有する第２ジップタイ構造を含み、第２ジップタイ構造がジップタイ構造を第２ジップタイ構造との相互係止接触へ案内するための整列構造を含み、第２ジップタイ構造の少なくとも１つの係止歯構造がタブ部分上に画定され、タブ部分が整列構造から接線方向に延在する、ステップと、
有形の非一時的媒体上に使用説明書一式を提供するステップであって、使用説明書が、
回り止めバンドを油圧コネクタ組立体の雌ナットの周りに巻き付けるステップと、
突出部の突出部分が油圧コネクタ組立体の雄本体上に位置するストッパタブに接線方向に隣接して延在するように、第１ジップタイ構造を第２ジップタイ構造へ嵌合させることにより、回り止めバンドを雌ナットに固定するステップと、
を含む、ステップと、を含む。
【００１１】
様々な実施形態において、使用説明書一式は、回り止めバンドを解放するよう第２ジップタイ構造のタブ部分を第１ジップタイ構造から離れるように持ち上げるステップを含む。
【００１２】
本明細書において開示される油圧コネクタ組立体の様々な実施形態は雌ナットと螺合される雄本体を含み、雄本体はそこから半径方向に外に向かって延在するストッパタブを含む。雌ナットは、中心軸を中心に同心円状であり、かつ、その外面上に形成される凹部を含み、さらに、ストッパタブの先端側にある基端部を含む。回り止めバンドは、雌ナットと係合し、かつ、雌ナットの周りで接線方向に延在して回り止めバンドの基端エッジを画定する。回り止めバンドはベース部分および突出部分を有する突出部を含み、ベース部分が回り止めバンドの内部表面から半径方向内向きに延在し、突出部の突出部分は回り止めバンドの基端エッジを越えて中心軸に平行な方向に延在する。突出部のベース部分は雌ナットの凹部内に配置され得る。様々な実施形態において、雄本体に対する雌ナットの回転によって、回り止めバンドを共に回転させ、かつ、突出部の突出部分を雄本体のストッパタブと係合させ、それにより雌ナットのさらなる回転を防止する。様々な実施形態において、回り止めバンドの端部は、端部同士を留め、かつ、フープ応力を係止デバイスに加えて回り止めバンドを雌ナットに固定するためのジップタイ締付構造を含む。
【００１３】
様々な実施形態において、油圧コネクタ組立体が開示される。この油圧コネクタ組立体は、雌ナットと螺合される雄本体を含む。雄本体は、そこから半径方向に外に向かって延在するストッパタブを含む。雌ナットは中心軸を中心に同心円状であり、かつ、その外面上に形成される凹部を含む。回り止めバンドは雌ナットと係合し、かつ、雌ナットの周りを接線方向に延在して回り止めバンドの基端エッジを画定する。回り止めバンドはベース部分および突出部分を有する突出部を含み得る。ベース部分は、回り止めバンドの内部表面から半径方向内向きに延在することができ、かつ、雌ナットの凹部内に配置される。一実施形態において、突出部の突出部分は回り止めバンドの基端エッジを越えて中心軸に平行な方向に延在する。雄本体に対する雌ナットの回転によって、回り止めバンドを共に回転させ、かつ、突出部の突出部分を雄本体のストッパタブと係合させ、それにより雌ナットのさらなる回転を防止する。ストッパタブは弓形であり得る。凹部は中心軸に略平行であり得る。一実施形態において、凹部は外面上に画定され、かつ、中心軸を中心に分配される複数の凹部のうちの１つであり、複数の凹部の各々は、突出部のベース部分と一致するよう寸法決めされる。凹部は中心軸を中心に均一に分配され得る。一実施形態において、回り止めバンドは雌ナットの外面の円周に沿って接線方向に延在する。一実施形態において、回り止めバンドは、自由端と、自由端同士を接合するための相補的留め具配置とを含む。油圧コネクタ組立体は、回り止めバンドと結合された保持リングをさらに含むことができ、保持リングは突出部をストッパタブと係合するような向きに維持する。一実施形態において、保持リングは検証構造である。
【００１４】
様々な実施形態において、突出部がストッパタブに係合する前の雄本体に対する雌ナットの最大の回転度は、両端値を含む６０°〜９０°である。これらの実施形態の幾つかについて、最大の回転度は８０°以下である。幾つかの実施形態において、突出部がストッパタブに係合する前の雄本体に対する雌ナットの最大の回転度は、両端値を含む６５°〜７５°である。他の実施形態において、突出部がストッパタブに係合する前の雄本体に対する雌ナットの最大の回転度は、両端値を含む３°〜２５°である。特定の実施形態において、突出部がストッパタブに係合する前の雄本体に対する雌ナットの最大の回転度は、両端値を含む５°〜２０°であり、これらの実施形態の幾つかについて、最大の回転度は１５°以下であり、これらの実施形態の他のものについて、最大の回転度は１０°以下である。
【００１５】
本開示の様々な実施形態において、油圧コネクタのための回り止めバンドが開示される。この回り止めバンドは、対向する自由端を含み、かつ、基端エッジを画定するバンド部分と、バンド部分から延在する複数の突出部を含む。複数の突出部の各々は、基端エッジの基端側へ延在する。バンド部分はバンド部分の基端エッジから延在する表面を画定することができ、複数の突出部の各々はベース部分を含み、ベース部分の各々はバンド部分の表面から延在する。一実施形態において、バンド部分はケーブルタイである。
【００１６】
一実施形態において、複数の突出部は３つの突出部を含む。３つの突出部の第１の突出部と第２の突出部との間の距離は、３つの突出部の第２の突出部と第３の突出部との間の距離に等しい。バンドは、弓形をなし、表面が内部表面をなす。回り止めバンドは、バンド部分の対向する自由端を選択的に接合するための留め具配置をさらに含み得る。一実施形態において、回り止めバンドは、対向する自由端が留め具配置と選択的に結合されるとき、中心軸を中心に略円形であり、その結果、３つの突出部の第１の突出部と第２の突出部とが中心軸を中心として芯出しされて第１角度を画定し、かつ、３つの突出部の第２の突出部と第３の突出部とが中心軸を中心として芯出しされて第２角度を画定する。第１角度は第２角度に略等しい。一実施形態において、第１角度および第２角度は実質的に６０°である。
【００１７】
本開示の様々な実施形態において、油圧コネクタ組立体の漏れを防止する方法が開示される。この方法は、
バンド部分とバンド部分から延在する突出部とを含む回り止めバンドを提供するステップであって、突出部がバンド部分から横に延在するベース部分とベース部分から軸方向に延在する突出部分とを含む、ステップと、
有形の非一時的媒体上に使用説明書一式を提供するステップであって、使用説明書が、
回り止めバンドを油圧コネクタ組立体の雌ナットの周りに巻き付けるステップと、
突出部の突出部分が油圧コネクタ組立体の雄本体上に位置するストッパタブに接線方向に隣接して延在するように、回り止めバンドを雌ナットに固定するステップと、を含む、ステップと、
を含む。
【００１８】
幾つかの実施形態において、回り止めバンドを提供するステップにおいて提供される回り止めバンドは、回り止めバンドを雌ナットに固定するための留め具構造を含む。他の実施形態において、この方法は、標準的なケーブルタイを提供するステップを含み、標準的なケーブルタイが回り止めバンドを雌ナットに固定するステップで用いられる。様々な実施形態において、使用説明書一式は、突出部の突出部分が油圧コネクタ組立体の雄本体上に位置するストッパタブに接線方向に隣接して延在するように雌ナットの外側表面上で画定される凹部に突出部を挿入することをさらに含む。一実施形態において、突出部はバンド部分と一体的に形成される。
【００１９】
本出願の所有者により所有される国際特許公開第２０１５／０６１５０１号は、参照によりその全体が本明細書に組み込まれる。
【図面の簡単な説明】
【００２０】
【図１】本開示の一実施形態による完全に組み立てられた油圧コネクタ組立体の斜視図である。
【図２】図１の油圧コネクタ組立体の断面図である。
【図３】接続検証構造なしの、図１の油圧コネクタ組立体の分解図である。
【図４】接続検証構造なしの、図１の油圧コネクタ組立体の斜視図である。
【図５】本開示の一実施形態による分離した状態の回り止めバンドの斜視図である。
【図６】本開示の実施形態における回り止めの留め具配置の拡大部分図である。
【図７】本開示の実施形態における回り止めの留め具配置の拡大部分図である。
【図８】本開示の実施形態における回り止めの留め具配置の拡大部分図である。
【図９】本開示の一実施形態による開放式回り止めバンドの拡大部分図である。
【図１０】本開示の一実施形態による変更されたケーブルタイを含む回り止めバンドである。
【図１１】本開示の一実施形態による変更されたケーブルタイ回り止めバンドの拡大された部分断面図である。
【図１２】本開示の一実施形態による３つの突出部と２つの係止孔とを含む分離した状態の回り止めバンドの斜視図である。
【図１３Ａ】様々な角度方向で、コネクタの雄本体のストッパタブと相互作用している図１２の３つの突出部を有する回り止めバンドの端面図である。
【図１３Ｂ】様々な角度方向で、コネクタの雄本体のストッパタブと相互作用している図１２の３つの突出部を有する回り止めバンドの端面図である。
【図１３Ｃ】様々な角度方向で、コネクタの雄本体のストッパタブと相互作用している図１２の３つの突出部を有する回り止めバンドの端面図である。
【図１３Ｄ】様々な角度方向で、コネクタの雄本体のストッパタブと相互作用している図１２の３つの突出部を有する回り止めバンドの端面図である。
【図１３Ｅ】様々な角度方向で、コネクタの雄本体のストッパタブと相互作用している図１２の３つの突出部を有する回り止めバンドの端面図である。
【図１３Ｆ】様々な角度方向で、コネクタの雄本体のストッパタブと相互作用している図１２の３つの突出部を有する回り止めバンドの端面図である。
【図１４】本開示の一実施形態による３つの突出部を有する回り止めバンドの斜視図である。
【図１５】本開示の一実施形態による３つの突出部を有する回り止めバンドの斜視図である。
【図１６】本開示の一実施形態による図１４の第１ジップタイ構造の拡大部分図である。
【図１７】本開示の一実施形態による図１４の鋸歯構造の部分外形図である。
【図１８】本開示の一実施形態による第２ジップタイ構造の拡大部分図である。
【図１９】本開示の一実施形態による図１８の係止歯構造の部分外形図である。
【図２０】本開示の一実施形態による３つの突出部を有する回り止めバンドの斜視図である。
【図２１】本開示の一実施形態による図２０の第１ジップタイ構造の拡大部分図である。
【図２２】本開示の一実施形態による図２０の鋸歯構造の部分外形図である。
【図２３】図２０の３つの突出部を有する回り止めバンドの斜視図である。
【図２４】本開示の一実施形態による図２３の第２ジップタイ構造の拡大部分図である。
【図２５】本開示の一実施形態による図２４の係止歯構造の部分外形図である。
【図２６】本開示の一実施形態による図２０の３つの突出部を有する回り止めバンドの逆の斜視図である。
【図２７】本開示の一実施形態による図２６の第２ジップタイ構造の拡大部分図である。
【図２８】相互係止構成にある図２０の第１ジップタイ構造および第２ジップタイ構造の拡大部分図である。
【図２９】本開示の一実施形態による油圧コネクタとの組立体における図１４および１５の３つの突出部を有するバンドを示す。
【考案を実施するための形態】
【００２１】
図１〜５を参照すると、油圧コネクタ組立体３０が本開示の一実施形態により示される。油圧コネクタ組立体３０は、雄本体３２と雌ナット３４と回り止めバンド３６とを含む。任意選択的に、油圧コネクタ組立体３０はまた、接続検証構造３８を含む。
【００２２】
雄本体３２は、中心軸４６を中心に同心円状の管状部分４２と、ねじが切られたコネクタ部分４４とを含む。ねじが切られたコネクタ部分４４は、基端部４８と先端部５２とを有する。雄ねじ５４はねじが切られたコネクタ部分４４の外面５６上に形成される。一実施形態において、管状部分４２とねじが切られたコネクタ部分４４は、コネクタ部分の基端部４８でフランジ部分５８によりつながれる（ｂｒｉｄｇｅｄ）。
【００２３】
本出願の目的上、「基端」は雌ナット３４から雄本体３２を通って進行する中心軸４６に沿った方向を指し、「先端」は雄本体３２から雌ナット３４を通って進行する中心軸４６に沿った方向を指す。図２において、基端方向は矢印６０により表され、先端方向は矢印６１により表される。
【００２４】
一実施形態において、コネクタ部分４４は、コネクタ部分４４から半径方向に外に向かって延在する少なくとも１つのストッパタブ６２を含み、ストッパタブ６２は雄ねじ５４の基端側、フランジ部分５８の先端側にある。示された実施形態において、ストッパタブ６２は雄本体３２上で互いに直径方向に反対側にあり（図３において６２ａおよび６２ｂとして特定される）、各々は接線方向に延在して、中心軸４６を中心に接線寸法を有する弓形セグメント６４（図１３Ａ）を画定する。一実施形態において、接線寸法は約３０°である。
【００２５】
雌ナット３４は、基端部７２と先端部７４とを有し、雄本体３２の雄ねじ５４と螺合するために雌ねじ７８が形成された内部表面７６を含む。雌ナット３４は複数の凹部８４を画定する構造を含む外面８２を含む。凹部８４は基端部７２から先端部７４へ延在して軸方向に延在するチャネルを画定する。一実施形態において、外面８２は基端部７２に狭幅部分８６を含む。
【００２６】
回り止めバンド３６は、内部表面９２を有する弓形構造であるバンド部分８８を含む。回り止めバンド３６は少なくとも部分的に雌ナット３４の外面８２の周りに巻き付くように配置され、それにより基端エッジ９０と先端エッジ９６とを画定する。示された実施形態において、内部表面９２は雌ナット３４の狭幅部分８６の輪郭に合致する。
【００２７】
一実施形態において、少なくとも１つの突出部９４が内部表面９２から半径方向内向きに突出する。突出部９４はバンド部分８８から横に延在し、および先端すなわちベース部分１０２と基端すなわち突出部分１０４とを有する。ベース部分１０２は回り止めバンド３６の内部表面９２から半径方向内向きに突出し、雌ナット３４の凹部８４内に摺動嵌合を提供する幅１０６（図５）を有するよう寸法決めされる。雌ナット３４の狭幅部分８６を含む実施形態について、ベース部分１０２は狭幅部分８６の外形を補完する外形１０８を有するように形成される。突出部９４の突出部分１０４は回り止めバンド３６の基端エッジ９０を越えて延在する。
【００２８】
幾つかの実施形態において、回り止めバンド３６は、雌ナット３４の外面８２の円周の周りに接線方向に延在する。一実施形態において、回り止めバンド３６は、自由端１１２、１１４を有しており、自由端１１２、１１４は、自由端１１２、１１４を選択的に接合するための相補的留め具構造を備える留め具配置（ｃｌａｓｐｉｎｇ  ａｒｒａｎｇｅｍｅｎｔｓ）１１６を含む。
【００２９】
接続検証構造３８は、用いられる場合、外壁１２２を有しており、外壁１２２から内部フランジ部分１２４が半径方向内向きに延在し雄本体３２のフランジ部分５８に対して位置が合う。接続検証構造３８の機能は、雌ナット３４が雄本体３２に適切に固定されているという視覚的かつ可聴的検証を提供することであり、これは、例えばｈｔｔｐ：／／ｗｗｗ．ｅｎｔｅｇｒｉｓｆｌｕｉｄｈａｎｄｌｉｎｇ．ｃｏｍ／Ｄｏｃｕｍｅｎｔｓ／３１１０−７２３５−０３１３．ｐｄｆで利用可能であり、最終訪問日が２０１３年１０月２３日である、「プライムロック（ＰＲＩＭＥＬＯＣＫ）（登録商標）ミニマム・チューブ・ユニオンズ（Ｍｉｎｉｍｕｍ  Ｔｕｂｅ  Ｕｎｉｏｎｓ）」、Ｐ／Ｎ  ０１−１０２３４５７（Ｒｅｖ．Ｃ  ０３／１３）、２０１３年３月において説明されるとおりであり、この開示は、そこに含まれる表現の定義を除き、参照によりその全体が本明細書に組み込まれる。
【００３０】
組立時において、ホース（図示せず）が雌ナット３４を通じて供給され、雄本体３２の管状部分４２上を摺動する。雌ナット３４は次いでコネクタ部分４４上にねじ付けられ、定められたトルク仕様まで締め付けられてホースに圧縮嵌合を及ぼす。次に、回り止めバンド３６は、突出部９４のベース部分１０２が複数の凹部８４のうちのそれぞれ１つの中に配置されるように、雌ナット３４の先端部７４で雌ナット３４の外面８２へ巻かれる。（接続検証構造３８を組み込む実施形態について、雌ナット３４の狭幅部分８６は、図２に示されるとおり、組み立てられた構成にある外壁１２２により囲まれる。）このようにして、回り止めバンド３６は、回り止めバンド３６が雌ナット３４と共に回転するように雌ナット３４に結合される。
【００３１】
同様にこの構成において、突出部９４の突出部分１０４は、突出部分１０４がストッパタブ６２に接線方向に隣接するように、雌ナット３４の基端部を越えて延在する。本明細書において、「接線方向に隣接する」は、ストッパタブの中心軸４６を中心とした回転が突出部分１０４との接触を引き起こすように、図３の直円筒座標系のθ方向に隣接することを意味する。一実施形態において、突出部９４の突出部分１０４はストッパタブ６２を越えて延在する。すなわち、突出部分１０４の基端は、ストッパタブ６２の基端側にある。
【００３２】
作動中、雌ナット３４が緩み、偶発的に中心軸４６を中心に回転すると、回り止めバンド３６はそれと共に運ばれる。このようにして、回り止めバンド３６および付随する突出部９４はまた、突出部分１０４とストッパタブ６２との間に接触が生じるまで回転する。いったんそのような接触が生じると、回り止めバンド３６−およびしたがって雌ナット３４−はこれ以上回転することができない。
【００３３】
接続検証構造３８、または壁１２２と内部フランジ部分１２４とを有する同様の構造は、回り止めバンド３６が雌ナット３４の基端部７２から滑り落ちることを防止する保持リングとして機能することができ、また突出部９４をストッパタブ６２と係合するための向きに維持することができる。
【００３４】
様々な実施形態において、突出部９４ａ、９４ｂの対が示され、かつ、図４に特定されるように用いられる。組み立てられた一構成において、突出部９４ａ、９４ｂはストッパタブ６２の両側に配置される（ｓｔｒａｄｄｌｅ）。他の構成（図示せず）において、突出部９４ａ、９４ｂの対はストッパタブ６２ａ、６２ｂの対の間に配置される。突出部９４ａ、９４ｂ間の間隔は、構成のうちの１つにおいて、小さい角度の偶発的な回転（例えば、約θ＝５°）のみ許容され、一方、より大きい角度の偶発的な回転（例えば、約２０°〜３０°）は、突出部９４ａ、９４ｂのうちの１つとストッパタブ６２とが係合する前に許容されるようなものである。
【００３５】
他の構成（図示せず）において、突出部９４ａ、９４ｂの対は、ストッパタブ６２ａ、６２ｂの対の間に配置される（例えば図３）。このような構成において、偶発的な回転は、突出部９４ａ、９４ｂのうちの１つがストッパタブ６２ａ、６２ｂのうちの１つと接触するまで生じる。ここでもやはり、偶発的な回転の角度の大きさは、突出部９４ａ、９４ｂのストッパタブ６２ａ、６２ｂに対する間隔の問題である。
【００３６】
非限定的な例示的一実施形態において、突出部９４ａ、９４ｂは中心軸４６に対して実質的に６０°離れて芯出しされ、突出部９４ａ、９４ｂの間の接線方向の間隔が約５８°〜５４°であり、ストッパタブ６２ａ、６２ｂは各々両端値を含む約４０°〜５０°の角度寸法を占める。この配置により、２つのストッパタブ６２ａ、６２ｂについて、ストッパタブ６２ａ、６２ｂのうちの１つが突出部９４ａ、９４ｂのうちの１つに係合する前の雌ナット３４の最大回転度は、ストッパタブ６２ａ、６２ｂが両方とも突出部９４ａ、９４ｂ間の間隔の範囲外にある場合、約６２°〜７６°である。ストッパタブ６２ａ、６２ｂのうちの１つが突出部９４ａ、９４ｂのうちの１つと係合する前の雌ナット３４の最大回転度は、ストッパタブ６２ａ、６２ｂのうちの１つが突出部９４ａ、９４ｂ間の間隔の範囲内にある場合、約４°〜１８°である。
【００３７】
ここでもやはり、突出部９４とストッパタブ６２とが係合する前の実際の最大回転度は、ストッパタブ６２および突出部９４の具体的な寸法および配置（ｌａｙｏｕｔ）に依存する。幾つかの実施形態において、ストッパタブ６２ａ、６２ｂが突出部９４ａ、９４ｂ間の間隔の範囲外にある構成について、最大回転度は、両端値を含む６０°〜９０°の範囲である。他の実施形態において、最大回転度は、両端値を含む６０°〜８０°の範囲である。なお他の実施形態において、最大回転度は、両端値を含む６５°〜７５°の範囲である。ストッパタブ６２ａ、６２ｂが突出部９４ａ、９４ｂ間の間隔の範囲内にある構成について、様々な実施形態について最大回転度は、両端値を含む３°〜２５°の範囲である。幾つかの実施形態について、最大回転度は、両端値を含む５°〜２０°の範囲内ある。さらに他の実施形態について、最大回転度は、両端値を含む５°〜１５°または両端値を含む５°〜１０°の範囲である。
【００３８】
様々な図における突出部の対の本明細書における描写は非限定的なものである。偶発的な回転は、いずれの場合も、１回転未満であるため、単一の突出部が用いられる。また、偶発的な回転の方向が分かると、単一の突出部を、小さい角度の運動距離のみがストッパタブ６２との接触の前に許容されるように、ストッパタブ６２に対する回転位置に位置付けることができる。さらに、３つ以上の突出部も用いられる。
【００３９】
図６〜８を参照すると、様々な留め具配置１１６ａ、１１６ｂ、１１６ｃはそれぞれ自由端１１２、１１４を一緒に結合するために本開示の実施形態において描かれる。留め具配置１１６ａは、孔１３４と結合する半径方向に突出するかえし１３２を含む。留め具配置１１６ｂは雄スナップ１４４と雌レセプタクル１４６とを有するスナップ式のコネクタ１４２を含み、雄スナップ１４４は接線方向に雌レセプタクル１４６内へ摺動する。留め具配置１１６ｃはまた、雄スナップ１５４と雌レセプタクル１５６とを有するスナップ式のコネクタであるが、雄スナップ１５４および雌レセプタクル１５６は、雄スナップ１５４が雌レセプタクル１５６内に軸方向（すなわち中心軸４６に平行に）に挿入されるように配置される。
【００４０】
図９を参照すると、開放式回り止めバンド１６０が開示される実施形態において示される。開放式回り止めバンド１６０は、同様の番号が振られた参照符号で示される上述の回り止めバンド３６と同じ態様のうちの多くを含む。開放式回り止めバンド１６０は、留め具配置を含まない自由端１６２、１６４を含む。代わりに、外面１６６は、基端隆起部９０および先端隆起部９６であって、その間に接線チャネル１７２を画定する基端および先端隆起部９０、９６に隣接する隆起部１６８を含る。接線チャネル１７２は、結束デバイス（図示せず）、例えばコード、ツイストタイ、または開放式回り止めバンド１６０に巻き付く従来のケーブルタイを捕捉するために使用される。結束デバイスは締め付けられて、突出部９４がそれぞれの凹部８４に配置された状態で、開放式回り止めバンド１６０を雌ナット３４に固定する。
【００４１】
図１０および１１を参照すると、開示される実施形態において、変更されたケーブルタイ１８０を含む回り止めバンド１７８が示される。変更されたケーブルタイ１８０は、突出部９４ａ、９４ｂがその基端エッジ９０から横に延在する状態で、バンド部分すなわちケーブルタイ部分１８２を含む。一実施形態において、突出部９４ａ、９４ｂは、ケーブルタイ部分１８２と一体に形成される。突出部９４ａ、９４ｂは、ケーブルタイ部分１８２と一体の先端部１８４（すなわちベース部分１０２の先端）を有する。したがって、回り止めバンド１７８について、ベース部分１０２は、ケーブルタイ部分１８２の内部面１８８へ取り付けられるが必須ではない。
【００４２】
組立時において、変更されたケーブルタイ１８０は、ケーブルタイ部分１８２が雌ナット３４の狭幅部分８６の先端側に位置するように取り付けられ、雌ナット３４の外面８２は接線方向に直円筒を画定する。このような位置において、ケーブルタイ部分１８２の内部面１８８は雌ナット３４へ合致する。変更されたケーブルタイ１８０は、突出部９４ａ、９４ｂが接線方向に延在し、かつ、雌ナット３４の狭幅部分８６上の凹部８４内に一致するように雌ナット３４上に位置付けられる。一実施形態において、突出部９４ａ、９４ｂの中心間の間隔１８６は、変更されたケーブルタイ１８０が雌ナット３４の周りに巻かれ適所に締め付けられると、突出部９４ａ、９４ｂが雌ナット３４の狭幅部分８６上のそれぞれの凹部８４内に位置が合うように、寸法決めされる。
【００４３】
幾つかの実施形態において、回り止めバンド１７８の突出部９４ａ、９４ｂは半径方向外向きに容易に偏向できる。突出部９４ａ、９４ｂの先端部１８４間の接合部は、屈曲に対する耐性をあまり提供しない場合もある。突出部９４のケーブルタイ部分１８２への結合が、突出部９４ａ、９４ｂをケーブルタイ部分１８２の内部面１８８に形成することにより強化される場合でも、突出部９４ａ、９４ｂが外に向かう半径方向力を受けると、ケーブルタイ部分１８２の必要な可撓性はそれを雌ナット３４から離れるように転がらせる。したがって、接続検証構造３８（または壁１２２および内部フランジ１２４の同様の特徴を有する構造）は、突出部９４ａ、９４ｂの突出部分１０４を、それらが雌ナット３４から離れて転がるのを防止するように捕捉するために必要となる。
【００４４】
図１２および図１３Ａ〜１３Ｆを参照すると、二重係止孔１３４ａ、１３４ｂを備えた、３つの突出部を有する回り止めバンド１９０が本開示の一実施形態により示される。３つの突出部を有する回り止めバンド１９０は、同様の番号が振られた参照符号で示される上述の回り止めバンド３６と同じ態様の多くを含む。加えて、３つの突出部を有する回り止めバンド１９０は第３突出部９４ｃを含む。一実施形態において、３つの突出部９４ａ、９４ｂ、９４ｃは、バンド部分８８に沿って接線方向に均一な位置に間隔を空けて配される、すなわち、突出部９４ａ、９４ｂ間の接線方向の間隔は、突出部９４ｂ、９４ｃ間の間隔と同じである。突出部９４ａ、９４ｂ、９４ｃの間の接線方向の間隔は、望ましい角度の偶発的な回転の後にストッパタブ６２を係合する一方で、ストッパタブ６２の接線寸法を容易に収容するよう寸法決めされる。示された実施形態において、突出部９４ａ、９４ｂ、９４ｃは、実質的に６０°の間隔で芯出しされる（図１３Ａ）。本明細書において、「実質的に６０°」は、６０°から３つの突出部を有する回り止めバンド１９０の製造および組立許容誤差の範囲を意味する。
【００４５】
一実施形態において、３つの突出部を有する回り止めバンド１９０の留め具配置１１６は２つの孔１３４ａ、１３４ｂを含み、各々、半径方向に突出するかえし１３２を留め具配置内に収容するよう大きさが決められる。二重孔配置は、３つの突出部を有する回り止めバンド１９０に限られない、すなわち、二重孔配置は、例えば図６〜８に示される留め具配置１１６を用いる本明細書において開示される実施形態のいずれとも用いられ得る。
【００４６】
機能上、２つの直径方向に反対側にあるストッパタブ６２ａ、６２ｂを含む図１〜５の実施形態について、第３突出部９４ｃを設けることは、３つの突出部を有する回り止めバンド１９０が中心軸４６を中心に均一に分配される６つの固有の角度方向に設置されることを可能にする。設置のための複数の角度方向の適応性（ｆｌｅｘｉｂｉｌｉｔｙ）を有することの利点は、インストーラ（ｉｎｓｔａｌｌｅｒ）が、角度方向の狭い範囲であって、その中に回り止めバンドが設置される狭い範囲に限定されることである。狭い範囲は、例えば特定の向きでの設置を排除する油圧コネクタ組立体３０に隣接する外部の継手および装置により課され得る。
【００４７】
この能力の例証は図１３Ａ〜１３Ｆに示される。図１３Ａ〜１３Ｆの各々において、雄本体３２は同じ向きに配置され、ストッパタブ６２ａ、６２ｂはそれぞれ１２時および６時の位置に方向付けられる。図１３Ａを参照すると、留め具配置１１６は、ストッパタブ６２ａと略半径方向に整列する。この配置により、３つの突出部を有する回り止めバンド１９０の時計周り方向における回転は突出部９４ｃをストッパタブ６２ｂに係合させ、一方で反時計回り方向での回転は突出部９４ａをストッパタブ６２ａと係合させる。いずれの係合も雌ナット３４（これに対して３つの突出部を有する回り止めバンド１９０が結合される）の回転（緩み）を効果的に停止させる。
【００４８】
図１３Ｂを参照すると、留め具配置１１６はストッパタブ６２ａに対して角度θ２で回転オフセットされる。突出部９４ａ、９４ｂ、９４ｃが、６０°の間隔を空けて配される実施形態について、θ２はまたストッパタブ６２ａに対して（すなわち１２時の位置に対して）実質的に６０°で芯出しされる。この配置により、３つの突出部を有する回り止めバンド１９０の時計周り方向の回転は、突出部９４ｂをストッパタブ６２ｂと係合させ、一方で反時計回り方向の回転は、突出部９４ｃをストッパタブ６２ｂと係合させ、ここでもやはり効果的に雌ナット３４の緩みを停止させる。
【００４９】
図１３Ｃを参照すると、留め具配置１１６はストッパタブ６２ａに対して角度θ３で回転オフセットされる。突出部９４ａ、９４ｂ、９４ｃが６０°の間隔を空けて配される実施形態に対して、θ３はストッパタブ６２ａに対して実質的に１２０°で芯出しされる。この配置により、３つの突出部を有する回り止めバンド１９０の時計周り方向の回転は突出部９４ａをストッパタブ６２ｂへ係合させ、一方で反時計回り方向の回転は突出部９４ｂをストッパタブ６２ｂと係合させ、ここでもやはり雌ナット３４の緩みを効果的に停止させる。
【００５０】
図１３Ｄを参照すると、留め具配置１１６はストッパタブ６２ａに対して角度θ４で回転オフセットされる。突出部９４ａ、９４ｂ、９４ｃが６０°の間隔を空けて配される実施形態に対して、θ４はストッパタブ６２ａに対して実質的に１８０°で芯出しされる。この配置により、３つの突出部を有する回り止めバンド１９０の時計周り方向の回転は突出部９４ｃをストッパタブ６２ａに係合させ、一方で反時計回り方向の回転は突出部９４ａをストッパタブ６２ｂと係合させる、ここでもやはり雌ナット３４の緩みを効果的に停止させる。
【００５１】
図１３Ｅを参照すると、留め具配置１１６はストッパタブ６２ａに対して角度θ５で回転オフセットされる。突出部９４ａ、９４ｂ、９４ｃが６０°の間隔を空けて配される実施形態に対して、θ５はストッパタブ６２ａに対して実質的に２４０°で芯出しされる。この配置により、３つの突出部を有する回り止めバンド１９０の時計周り方向の回転は突出部９４ｂをストッパタブ６２ａに係合させ、一方で反時計回り方向の回転は突出部９４ｃをストッパタブ６２ａと係合させ、ここでもやはり雌ナット３４の緩みを効果的に停止させる。
【００５２】
図１３Ｆを参照すると、留め具配置１１６はストッパタブ６２ａに対して角度θ６で回転オフセットされる。突出部９４ａ、９４ｂ、９４ｃが６０°の間隔を空けて配される実施形態に対して、θ６はストッパタブ６２ａに対して実質的に３００°で芯出しされる。この配置により、３つの突出部を有する回り止めバンド１９０の時計周り方向の回転は突出部９４ａをストッパタブ６２ａに係合させ、一方で反時計回り方向の回転は突出部９４ｂをストッパタブ６２ａと係合させ、ここでもやはり雌ナット３４の緩みを効果的に停止させる。
【００５３】
したがって、３つの突出部を有する回り止めバンド１９０は、図１２および１３Ａ〜１３Ｆに示されるとおり、中心軸４６を中心に６０°きざみ−６つの固有の位置−で方向付けられ、同時に、取り付けられた向きに関わらず、ストッパタブ６２ａ、６２ｂのうちの１つと係合する前に雌ナット３４の緩み回転において略同じ量の遊びを提供する。これは、３つの突出部を有する回り止めバンド１９０を複数の向きのいずれにも容易に設置することを可能にし、同時に略同じ低い角度の回転遊びまたは緩みをストッパタブ６２との係合の前に提供する。例えば、上で検討された角度配置（ａｎｇｕｌａｒ  ｌａｙｏｕｔ）であって、隣接する突出部９４ａ、９４ｂおよび突出部９４ｂ、９４ｃ間の間隔が約５８°〜５４°であり、ストッパタブ６２ａ、６２ｂが各々両端値を含む約４０°〜５０°の角度寸法を占める角度配置について、ストッパタブ６２ａまたはストッパタブ６２ｂのうちの１つが突出部９４ａまたは突出部９４ｂのうちの１つと係合する前の雌ナット３４の最大回転度は、ストッパタブ６２ａ、６２ｂのうちの１つが突出部９４ａ、９４ｂまたは突出部９４ｂ、９４ｃのうちの２つの間の間隔の中にあるか外にあるかに関わらず、約４°〜１８°である。また、ストッパタブ６２および突出部９４の寸法および配置に依存して、最大回転度は様々な実施形態について両端値を含む３°〜２５°の範囲であり、幾つかの実施形態について、最大回転度は、両端値を含む５°〜２０°の範囲であり、さらに他の実施形態について、最大回転度は、両端値を含む５°〜１５°または両端値を含む５°〜１０°の範囲である。
【００５４】
機能上、３つの突出部を有する回り止めバンド１９０の二重孔１３４ａ、１３４ｂは、クリープ応力に起因して生じ得る雌ナット３４の狭幅部分８６の半径方向の増大を収容し得る。狭幅部分８６は、少なくとも部分的に雌ナット３４の本体に比べて材料の厚さが薄いことに起因して、より変形の影響を受けやすい。作動中、雌ナット３４が雄本体３２上に締め付けられると、狭幅部分８６は半径方向に外に向かって変形する。半径方向の増大は、特に作動条件が高温を伴う場合、クリープ応力に起因して永続的である。したがって、狭幅部分８６での雌ナット３４の直径は、使用期間後に新しい未使用の雌ナット３４よりも大きくてもよい。
【００５５】
したがって、二重孔１３４ａ、１３４ｂは、３つの突出部を有する回り止めバンド１９０が新しい未使用の雌ナット３４または使用済みの雌ナット３４を後付け部品内に収容することを可能にする。かえし１３２と孔１３４ａとの結合によって、後付けする状況に対して第１のより大きい直径の雌ナット３４を収容することができ、一方、かえし１３２と孔１３４ｂとの結合によって、新しい未使用の雌ナット３４に対して第２のより小さい直径を収容する。
【００５６】
一実施形態において、回り止めバンド３６、１７８、１９０は、設置のための説明書と共に別個に（すなわち雄本体３２も雌ナット３４もなしに）提供される。油圧コネクタ組立体３０の特定の態様は、既存の油圧コネクタに含まれる。例えば、プライムロック（ＰＲＩＭＥＬＯＣＫ）（登録商標）継手は、典型的には接続検証構造３８と協働するストッパタブ６２ａ、６２ｂならびにフランジ５８を備える雄本体３２を含む。プライムロック（ＰＲＩＭＥＬＯＣＫ）（登録商標）継手はまた、典型的には特別仕様のナットレンチと係合するための凹部８４を備える雌ナット３４を含む。したがって、回り止めバンド３６、１７８、１９０は、コネクタシステム、例えば設置のための説明書を完備するプライムロック（ＰＲＩＭＥＬＯＣＫ）（登録商標）の後付け部品として構成される。
【００５７】
図１４〜１９を参照すると、３つの突出部を有する回り止めバンド２００が本開示の一実施形態により示される。３つの突出部を有する回り止めバンド２００は、同様の番号が振られた参照符号で示される上述の回り止めバンド３６、１９０と同じ態様のうちの多くを含む。３つの突出部を有する回り止めバンド２００の留め具配置１１６は、３つの突出部を有する回り止めバンド２００の対向する第１端部分２０４および第２端部分２０６を相互係止するためのジップタイ締付構造２０２を含む。
【００５８】
示された実施形態において、回り止めバンドはｒ−θ−ｚ（直円筒形）座標系２０８の原点を中心とし、ｒ−θ−ｚ座標系２０８のｚ軸は中心軸４６と一致する。本明細書において、「半径方向」はｒ−θ−ｚ座標系２０８のｒ方向であり、「接線方向」はθ方向であり、「軸方向」はｚ方向である。
【００５９】
幾つかの実施形態において、ジップタイ締付構造２０２の第１ジップタイ締付構造２０２ａは、外側接線面２１２を有する背部分２１０を画定する。複数の鋸歯構造２１４が背部分２１０の外側接線面２１２から半径方向に外に向かって延在してもよい。本明細書において、「鋸歯構造」は、側部から見たとき（すなわちｒ−θ−ｚ座標系２０８のｚ軸に沿って見たとき）交互の急勾配および緩勾配を有する外形を画定する。
【００６０】
複数の鋸歯構造２１４の各々は、摺動面２１６と係合または係止面２１８とを含む。各摺動面２１６は名目摺動面角度φ１ａを画定し、各係止面２１８は名目係止面角度φ１ｂを画定する。角度φ１ａおよび角度φ１ｂの各々はｒ−θ−ｚ座標系２０８の半径方向ｒに対して画定される。示された実施形態において、摺動面角度φ１ａ（「緩勾配」）は係止面角度φ１ｂ（「急勾配」）より大きい。
【００６１】
幾つかの実施形態において、ジップタイ締付構造２０２の第２ジップタイ締付構造２０２ｂは、少なくとも１つの係止歯構造２２４を画定する。少なくとも１つの係止歯構造２２４の各々は、名目係止面角度φ２ｂを画定する係止面２２８を含む。背部分２１０から延在する複数の鋸歯構造２１４と同様、少なくとも１つの係止歯２２４は名目摺動面角度φ２ａを画定する摺動面２２６を有する鋸歯構造を画定する。
【００６２】
係止面２１８および係止面２２８それぞれの係止面角度φ１ｂおよび係止面角度φ２ｂは、接線方向θに互いに相互係止するように大きさが決められる。幾つかの実施形態において、係止面角度φ１ｂおよび係止面角度φ２ｂは相補的である、すなわち、係止面角度φ１ｂは係止面角度φ２ｂと大きさが等しいが、係合すると係止面角度φ２ｂとは反対方向である。幾つかの実施形態において、係止面角度φ１ｂ、φ２ｂの一方または両方は略ゼロである（例えば半径方向ｒと略整列する）。
【００６３】
様々な実施形態において、第２端部部分２０６は整列構造２３０を含む。整列構造２３０は、バンド部分８８から半径方向に外に向かって延在し、かつ、上部部分２３４により上を覆われた、反対側にある側部部分２３２を含む（図１８）。バンド部分８８、反対側にある側部部分２３２および上部部分２３４は、協働して、摺動間隙嵌合で背部分２１０を収容するよう寸法が決められたチャネルまたは導管２３６を画定する。
【００６４】
幾つかの実施形態において、少なくとも１つの係止歯構造２２４が、整列構造２３０から接線方向に延在するカンチレバーまたはタブ部分２３８に配置される。３つの突出部を有する回り止めバンド２００の示された実施形態において、タブ部分２３８は、タブ部分２３８が回り止めバンド２００の自由端１１４を画定するように、第１端部部分２０４に向かって延在する。
【００６５】
１つまたは複数の実施形態において、回り止めバンド２００は相互係止構成から容易に解放される。これらの実施形態において、鋸歯構造２１４と少なくとも１つの係止歯構造２２４との間の相互係止構成は、少なくとも１つの係止歯構造２２４を半径方向に内部へ押しやって複数の鋸歯構造２１４と相互係止するタブ部分２３８のレジリエンス（ｒｅｓｉｌｉｅｎｃｅ）により維持される。したがって、回り止めバンド２００は、タブ部分２３８を第１ジップタイ構造２０２ａから離れるように押し開けることにより相互係止構成から解放される。
【００６６】
代替的に、または加えて、少なくとも１つの係止歯構造２２４は、整列構造２３０の上部部分２３４から半径方向内向きに、整列構造２３０により画定されるチャネル２３６内に延在する（図示せず）。
【００６７】
図２０〜２８を参照すると、３つの突出部を有する回り止めバンド２４０が本開示の一実施形態により示される。３つの突出部を有する回り止めバンド２４０は、同様の番号が振られた参照符号で示される上述の回り止めバンド２００と同じ態様のうちの多くを含む。
【００６８】
回り止めバンド２４０の図示された実施形態と回り止めバンド２００との違いは、回り止めバンド２４０について、タブ部分２３８が回り止めバンド２４０の自由端１１４から離れる方に延在し、その結果、整列構造２３０が自由端１１４にある。示された実施形態において、タブ部分２３８の第１セクション２４２は整列構造２３０から軸２４３に沿って延在する（図２４）。タブ部分２３８は軸２４３が角度αでバンド部分８８に向かって延在するように形成される。タブ部分２３８の第２セクション２４４は第１セクション２４２から延在し、第１セクション２４２に対して角度βで延在するように形成され、角度βはバンド部分８８から離れるように延在する。
【００６９】
機能上、タブ部分２３８の第１セクション２４２のバンド部分８８に向かっての曲げは、タブ部分２３８をバンド部分８８に向かって付勢する。背部分２１０が整列構造２３０を通ってタブ部分２３８の下に挿入されると、背部分２１０はタブ部分２３８を半径方向に外に向かって変位させる（図２８）。タブ部分２３８のレジリエンスのため、半径方向に外に向かっての変位は、タブ部分２３８の屈曲に起因して、付勢力ＦＢを半径方向内向きにかけることになる。付勢力ＦＢは、少なくとも１つの係止歯構造２２４と複数の鋸歯構造２１４との間の接触の維持を補助する。タブ部分２３８の第２セクション２４４の曲げは、ユーザが、タブ部分２３８を、少なくとも１つの係止歯構造２２４を複数の鋸歯構造２１４から解放するために、バンド部分８８から離れるように容易に押し開けるのを可能にする。
【００７０】
回り止めバンド２４０の示された実施形態と回り止めバンド２００との間の他の違いは、係止面角度φ２ｂが半径方向ｒに対してよりも、タブ部分２３８の第１セクション２４２の軸２４３に垂直であるベクトルＮから画定されることである（図２５）。これは、図２５において最もよく示されるように、少なくとも１つの係止歯構造２２４が、タブ部分２３８が半径方向に外に向かってそらされた後、係合された鋸歯構造２１４と適切に整列することを可能にする。
【００７１】
示された実施形態において、整列構造２３０の、反対側にある側部部分２３２の第１側部部分２３２ａは、整列構造２３０の上部部分２３４に対して芯出しされた柱２５２を画定する（図２４）。整列構造２３０の、反対側にある側部部分２３２の第２側部部分２３２ｂは、整列構造２３０の上部部分２３４に対して芯出しされた開口部２５４を画定する（図２７）。
【００７２】
機能上、第１側部部分２３２ａおよび第２側部部分２３２ｂの構造は、回り止めバンド２４０の成形中に注入材料のより確実な流れを提供しながら、整列構造２３０が接線方向に拡張されることを可能にする。
【００７３】
回り止めバンド２００、２４０の一方または両方について、第２ジップタイ締付構造２０２ｂの少なくとも１つの係止歯構造２２４の摺動面２２６は、第１ジップタイ締付構造２０２ａの複数の鋸歯構造２１４の各々の摺動面２１６上を摺動するように構成される。それぞれ開いた構成にある回り止めバンド２００、２４０を示す図１４および２０を参照すると、鋸歯構造２１４および少なくとも１つの係止歯構造２２４の摺動面２１６、２２６は、接線方向θに互いに向き合うよう方向付けられる。摺動面角度φ１ａ、φ２ａは、少なくとも１つの係止歯構造２２４が鋸歯構造２１４上を摺動することができるよう寸法が決められる。対照的に、係止面角度φ１ｂ、φ２ｂは互いの中に掛かるように寸法決めされ、それにより第１締付構造２０２ａおよび第２締付構造２０２ｂを互いに係止する。
【００７４】
図２９を参照すると、回り止めバンド２００の設置が本開示の一実施形態により示される。回り止めバンド２００が図２９に示されるが、同じ手順が回り止めバンド２４０の設置に当てはまる。回り止めバンド２００または回り止めバンド２４０は、雌ナット３４上を摺動するかそれに巻き付けられ、接続検証構造３８に挿入される。突出部９４の配置および位置は、回り止めバンド２００、２４０の限られた回転を提供するための手順に従って上で概説された手順に従って行われる。第１ジップタイ締付構造２０２ａは第２ジップタイ締付構造２０２ｂの整列構造２３０内へ摺動し、整列構造２３０を通して引かれて回り止めバンド２００、２４０を雌ナット３４へ締め付けて、回転係止組立体２６０を形成する。明確にするために、接続検証構造３８は回転係止組立体２６０に示されない。
【００７５】
回り止めバンド２００の締付は、第１ジップタイ構造２０２ａの複数の鋸歯構造２１４を第２ジップタイ構造２０２ｂの少なくとも１つの係止歯構造２２４とのラチェット式接触へと引き込む。十分に締め付けられた状態に到達すると、鋸歯構造２１４および少なくとも１つの係止歯構造２２４の係止面２１８、２２８は相互係止されて回り止めバンド２００、２４０を雌ナット３４に固定する（図２９）。
【００７６】
機能上、整列構造２３０は第１ジップタイ締付構造２０２ａを横（すなわち座標系２０８のｚ軸に平行）および半径方向（すなわち座標系２０８のｒ軸に平行）に含む。したがって、第１ジップタイ締付構造２０２ａは接線方向にのみ操作される。整列構造２３０はまた、鋸歯構造２１４と少なくとも１つの係止歯構造２２４との間の整列を、係止面２１８、２２８が確実に係合するように維持する。ジップタイ構造２０２はまた、回り止めバンド２００が例えば熱サイクルおよび／またはクリープに起因して緩んできた場合に、人が最初の設置後に回り止めバンド２００を締めることを可能にする。
【００７７】
様々な実施形態において、使用説明書は有形の非一時的媒体、例えば紙、コンパクトディスクまたはコンピュータ記憶デバイスに提供され、以下のステップ、すなわち、
回り止めバンド３６、１７８、１９０、２００、２４０を油圧コネクタ組立体３０の雌ナット３４の周りに巻き付けるステップと、
突出部９４の突出部分１０４が油圧コネクタ組立体３０の雄本体３２上に位置するストッパタブ６２を越えて延在するように、突出部９４を凹部８４内に挿入するステップと、
回り止めバンド３６、１７８、１９０を雌ナット３４に固定するステップと
を含み得る。
【００７８】
一実施形態において、標準的なケーブルタイが回り止めバンド３６を雌ナット３４に固定するために設けられる。
本明細書において開示された追加的な図および方法の各々は、改良された容器ならびにこれを作成および使用するための方法を提供するために、別々に、または他の特徴および方法と併せて使用され得る。したがって、本明細書において開示された特徴および方法の組合せは、本考案をその最も広い意味において実施するために必要ではないこともあり、代わりに、本考案の代表的かつ好ましい実施形態を具体的に説明するためにのみ開示されることもある。
【００７９】
本考案の実施形態に対する様々な修正形態は、本開示を読むと当業者には明らかとなり得る。例えば、関連する技術分野の当業者は本考案の異なる実施形態のために説明された様々な特徴が、本考案の趣旨の範囲内で、他の特徴と、単独または異なる組合せにおいて、適切に組み合わされ、別々にされ、再び組み合わされ得ることを認識する。同様に、上述の様々な特徴は全て、本考案の範囲または趣旨の限定としてよりむしろ例示的な実施形態としてみなされるべきである。したがって、上記は本考案の範囲を限定するものと考えられない。
【００８０】
関連する技術分野の当業者は、本考案が、上述のいずれの個別の実施形態において示される特徴よりも少ない特徴を含み得ることを認識する。本明細書において説明される実施形態は、本考案の様々な特徴が組み合わせられ得る方法の網羅的な提示であることを意味されない。したがって、実施形態は特徴の互いに排他的な組み合わせではなく、むしろ、本考案は、当業者により理解されるとおり、異なる個別の実施形態から選択された異なる個別の特徴の組合せを含み得る。
【００８１】
上記の文献の参照による組み込みはいずれも、本明細書において明示的に開示されるものと逆である主題が組み込まれることがないように限られている。上記の文献の参照による組み込みはいずれも、文献に含まれる請求項が参照により本明細書に組み込まれないようにさらに限られている。上記の文献の参照による組み込みはいずれも、文献において提供される定義がいずれも、本明細書において明確に含まれない限り参照により本明細書に組み込まれないように、なおさらに限られている。
【００８２】
本明細書に含まれる「実施形態」、「本開示の実施形態」、および「開示される実施形態」への言及は、自認された先行技術ではない本実用新案登録出願の明細書（実用新案登録請求の範囲および図面を含む本文）を指す。
【図１】
0003217688.tif 000003
【図２】
0003217688.tif 000004
【図３】
0003217688.tif 000005
【図４】
0003217688.tif 000006
【図５】
0003217688.tif 000007
【図６】
0003217688.tif 000008
【図７】
0003217688.tif 000009
【図８】
0003217688.tif 000010
【図９】
0003217688.tif 000011
【図１０】
0003217688.tif 000012
【図１１】
0003217688.tif 000013
【図１２】
0003217688.tif 000014
【図１３Ａ】
0003217688.tif 000015
【図１３Ｂ】
0003217688.tif 000016
【図１３Ｃ】
0003217688.tif 000017
【図１３Ｄ】
0003217688.tif 000018
【図１３Ｅ】
0003217688.tif 000019
【図１３Ｆ】
0003217688.tif 000020
【図１４】
0003217688.tif 000021
【図１５】
0003217688.tif 000022
【図１６】
0003217688.tif 000023
【図１７】
0003217688.tif 000024
【図１８】
0003217688.tif 000025
【図１９】
0003217688.tif 000026
【図２０】
0003217688.tif 000027
【図２１】
0003217688.tif 000028
【図２２】
0003217688.tif 000029
【図２３】
0003217688.tif 000030
【図２４】
0003217688.tif 000031
【図２５】
0003217688.tif 000032
【図２６】
0003217688.tif 000033
【図２７】
0003217688.tif 000034
【図２８】
0003217688.tif 000035
【図２９】
0003217688.tif 000036
【手続補正書】
【提出日】平成28年6月27日(2016.6.27)
【手続補正１】
【補正対象書類名】実用新案登録請求の範囲
【補正対象項目名】全文
【補正方法】変更
【補正の内容】
【実用新案登録請求の範囲】
【請求項１】
油圧コネクタ組立体であって、
雌ナットと螺合される雄本体であって、そこから半径方向に外に向かって延在するストッパタブを含み、前記雌ナットが中心軸を中心に同心円状であり、かつ、その外面上に形成される凹部を含む、雄本体と、
回り止めバンドであって、前記雌ナットと係合し、かつ、該雌ナットの周りで接線方向に延在して回り止めバンドの基端エッジを画定し、内部表面を有するバンド部分と、ベース部分を有する突出部と、突出部分とを含み、前記ベース部分が前記バンド部分の内部表面から半径方向内向きに延在し、前記突出部が前記雌ナットの凹部内に配置されている、回り止めバンドと、
を含み、
前記回り止めバンドがジップタイ締付構造を画定する対向する端部部分を含み、前記ジップタイ締付構造が、
複数の鋸歯構造を画定する前記対向する端部部分の第１端部部分に隣接する第１ジップタイ締付構造であって、前記複数の鋸歯構造の各々が摺動面と係止面とを含む、第１ジップタイ締付構造と、
複数の係止歯構造を画定する前記対向する端部部分の第２端部部分に隣接する第２ジップタイ締付構造であって、前記複数の係止歯構造の各々が前記第１ジップタイ締付構造の鋸歯構造と相互係止するように構成された係止面を含み、前記複数の係止歯構造が前記第１ジップタイ締付構造の複数の鋸歯構造の各々の摺動面上を摺動するように構成されている、第２ジップタイ締付構造と、
を含み、
前記雄本体に対する前記雌ナットの回転によって、前記回り止めバンドを前記雌ナットと共に回転させ、かつ、前記突出部分を前記雄本体のストッパタブと接触させ、それにより前記雌ナットのさらなる回転を防止する、
油圧コネクタ組立体。
【請求項２】
前記ジップタイ締付構造が着脱可能である、請求項１に記載の油圧コネクタ組立体。
【請求項３】
前記第１ジップタイ締付構造の複数の鋸歯構造の係止面が第１係止面角度を画定し、
前記複数の係止歯構造の各々の係止面が第２係止面角度を画定し、
前記第１係止面角度が、前記第１ジップタイ締付構造の複数の鋸歯構造の各々の第２係止面角度と相補的である、請求項１に記載の油圧コネクタ組立体。
【請求項４】
前記第２端部部分が、前記第１ジップタイ締付構造が前記第２ジップタイ締付構造と相互係止されるとき、前記第１端部部分を前記第２端部部分と接線方向に整列させるための整列構造を含む、請求項１に記載の油圧コネクタ組立体。
【請求項５】
前記第２ジップタイ締付構造の複数の係止歯構造がタブ部分上に画定され、前記タブ部分が前記整列構造から接線方向に延在する、請求項４に記載の油圧コネクタ組立体。
【請求項６】
前記回り止めバンドの整列構造が前記第２端部部分の自由端を画定し、前記タブ部分が前記自由端から離れるように延在する、請求項５に記載の油圧コネクタ組立体。
【請求項７】
前記タブ部分が、第１セクションであって、前記整列構造から接線方向に延在し、かつ、前記回り止めバンドが開いた構成にあるとき、前記バンド部分に向かって曲がる、第１セクションを含み、前記タブ部分が、前記第１ジップタイ締付構造が前記第２ジップタイ締付構造と相互係止されるとき、半径方向に外に向かってそれ、前記タブ部分が、前記第１ジップタイ締付構造が前記第２ジップタイ締付構造と相互係止されるとき、付勢力を前記第１ジップタイ締付構造に対してかける、請求項６に記載の油圧コネクタ組立体。
【請求項８】
前記タブ部分が、第２セクションであって、前記第１セクションから接線方向に延在し、かつ、前記第２ジップタイ締付構造を前記第１ジップタイ締付構造から解放するよう前記タブ部分を前記バンド部分から離れるように押し開けるために、前記バンド部分から離れるように曲がる、第２セクションを含む、請求項７に記載の油圧コネクタ組立体。
【請求項９】
前記整列構造が、前記バンド部分から半径方向に外に向かって延在し、かつ、上部部分により上を覆われる、対向する側部部分を含む、請求項４に記載の油圧コネクタ組立体。
【請求項１０】
油圧コネクタのための回り止めバンドであって、
第１端部部分と第２端部部分とを含み、かつ、基端エッジを画定する弓形バンド部分であって、前記第１端部部分が第１ジップタイ締付構造を含み、前記第２端部部分が前記第１ジップタイ締付構造と相互係止するように構成された第２ジップタイ締付構造を含み、前記第２端部部分が、前記第１端部部分が前記第２端部部分と相互係止されるとき、前記第１端部部分を前記第２端部部分と接線方向に整列させるための整列構造を含み、前記整列構造が前記弓形バンド部分から半径方向に外に向かって延在する、対向する側部部分を有し、前記対向する側部部分が上部部分により上を覆われる、弓形バンド部分と、
前記弓形バンド部分から延在する複数の突出部であって、前記複数の突出部の各々が前記基端エッジの基端側へ延在する、複数の突出部と、
を含む、油圧コネクタのための回り止めバンド。
【請求項１１】
前記第１ジップタイ締付構造が複数の鋸歯構造を画定し、前記複数の鋸歯構造の各々が摺動面と係止面とを含み、
前記第２ジップタイ締付構造が複数の係止歯構造を画定し、前記複数の係止歯構造の各々が係止面を含み、
前記第２ジップタイ締付構造が、前記第１ジップタイ締付構造の複数の鋸歯構造の各々の摺動面上を摺動するように構成されており、
前記第２ジップタイ締付構造の複数の係止歯構造の係止面の各々が、前記第１ジップタイ締付構造の複数の鋸歯構造のいずれか１つと相互係止するように構成されている、請求項１０に記載の回り止めバンド。
【請求項１２】
前記第２ジップタイ締付構造の複数の係止歯構造の係止面の各々が、前記第１ジップタイ締付構造の複数の鋸歯構造の各々の係止面と相補的である、請求項１１に記載の回り止めバンド。
【請求項１３】
前記複数の係止歯構造の各々が摺動面を含む、請求項１１に記載の回り止めバンド。
【請求項１４】
前記第２端部部分の複数の係止歯構造がタブ部分上に画定され、前記タブ部分が前記整列構造から接線方向に延在する、請求項１０に記載の回り止めバンド。
【請求項１５】
前記整列構造が前記第２端部部分の自由端を画定し、前記タブ部分が前記自由端から離れるように延在する、請求項１４に記載の回り止めバンド。
【請求項１６】
前記弓形バンド部分がその基端エッジから延在する表面を画定し、
前記複数の突出部の各々がベース部分を含み、前記ベース部分の各々が前記弓形バンド部分の表面と一体である、請求項１０〜１５のいずれか一項に記載の回り止めバンド。
【請求項１７】
前記複数の突出部が３つの突出部を含む、請求項１０〜１５のいずれか一項に記載の回り止めバンド。
【請求項１８】
前記３つの突出部の第１の突出部と第２の突出部との間の距離が、前記第２の突出部と前記３つの突出部の第３の突出部との間の距離に等しい、請求項１７に記載の回り止めバンド。
【請求項１９】
前記表面が前記弓形バンド部分の内部表面である、請求項１６に記載の回り止めバンド。
【請求項２０】
油圧コネクタ組立体のための回り止めバンドであって、
第１端部部分と第２端部部分とを有し、かつ、基端エッジを画定する弓形バンド部分と、
前記第１端部部分から半径方向に外に向かって、かつ、前記第１端部部分を接線方向に越えて延在する第１ジップタイ締付構造と、
前記第２端部部分から半径方向に外に向かって延在する整列構造と、
前記整列構造から接線方向に延在する第２ジップタイ締付構造であって、前記第１ジップタイ締付構造と相互係止するように構成されている第２ジップタイ締付構造と、
前記弓形バンド部分から、かつ、前記基端エッジの基端側へ延在する突出部と
を含む、
油圧コネクタ組立体のための回り止めバンド。
【請求項２１】
前記突出部が前記弓形バンド部分の内部表面から半径方向内向きに延在する、請求項２０に記載の回り止めバンド。
【請求項２２】
前記第２ジップタイ締付構造がタブ部分上に画定され、前記タブ部分が前記整列構造から接線方向に延在する、請求項２０に記載の回り止めバンド。
【請求項２３】
前記整列構造が前記第２端部部分の自由端部を画定し、前記タブ部分が前記自由端部から離れるように延在する、請求項２２に記載の回り止めバンド。
【請求項２４】
前記タブ部分が、第１セクションであって、前記整列構造から接線方向に延在し、かつ、前記回り止めバンドが開いた構成にあるとき、前記弓形バンド部分に向かって曲がる、第１セクションを含み、前記タブ部分が、前記第１ジップタイ締付構造が前記第２ジップタイ締付構造と相互係止されるとき、半径方向に外に向かってそれ、前記タブ部分が、前記第１ジップタイ締付構造が前記第２ジップタイ締付構造と相互係止されるとき、付勢力を前記第１ジップタイ締付構造に対してかける、請求項２２に記載の回り止めバンド。
【請求項２５】
前記タブ部分が、第２セクションであって、前記第１セクションから接線方向に延在し、かつ、前記第２ジップタイ締付構造を前記第１ジップタイ締付構造から解放するよう前記タブ部分を前記バンド部分から離れるように押し開けるために、前記バンド部分から離れるように曲がる、第２セクションを含む、請求項２４に記載の回り止めバンド。
【請求項２６】
前記第１ジップタイ締付構造が、外側接線面を有する背部分を含み、前記外側接線面が、前記外側接線面から半径方向に外に向かって延在する複数の鋸歯構造を画定し、前記複数の鋸歯構造の各々が摺動面と係止面とを含み、
前記第２ジップタイ締付構造が、複数の係止歯構造を画定し、前記複数の係止歯構造の各々が前記第１ジップタイ締付構造の複数の鋸歯構造の各々の摺動面上を摺動するように構成されており、前記複数の係止歯構造の各々が係止面を含み、かつ、前記第２ジップタイ締付構造の複数の係止歯構造の係止面の各々が前記第１ジップタイ締付構造の複数の鋸歯構造のいずれか１つと相互係止するよう構成されている、請求項２０〜２５のいずれか一項に記載の回り止めバンド。